(57)【要約】【課題】データの再送及び新規データの送信にかかる時間を短縮する。【解決手段】基地局装置は、複数の端末装置と通信する基地局装置であって、複数の端末装置へ送信済みのデータの受信の成否が端末装置毎に特定される前に、新規データの送信用の第１リソースを複数の端末装置に割り当てる割当部と、端末装置毎にデータの受信の成否が特定された後に、データの受信に失敗した端末装置に割り当て済みの第１リソースをデータの再送用の第２リソースへ変換する変換部と、第２リソースを用いてデータを再送するとともに、第２リソースに変換されていない第１リソースを用いて新規データを送信する送信部とを有する。【選択図】図２
2018201074.tif 000002
【特許請求の範囲】
【請求項１】
複数の端末装置と通信する基地局装置であって、
前記複数の端末装置へ送信済みのデータの受信の成否が前記端末装置毎に特定される前に、新規データの送信用の第１リソースを前記複数の端末装置に割り当てる割当部と、
前記端末装置毎に前記データの受信の成否が特定された後に、前記データの受信に失敗した前記端末装置に割り当て済みの前記第１リソースを前記データの再送用の第２リソースへ変換する変換部と、
前記第２リソースを用いて前記データを再送するとともに、前記第２リソースに変換されていない前記第１リソースを用いて前記新規データを送信する送信部と
を有することを特徴とする基地局装置。
【請求項２】
前記割当部は、
前記端末装置毎のスループットに基づいて、前記第１リソースの割り当て単位であるリソースブロックの数を算出することを特徴とする請求項１に記載の基地局装置。
【請求項３】
前記端末装置毎に前記データの受信の成否が特定される前に、前記第１リソースの割り当ての完了を契機として、前記新規データを生成する生成部と、
生成された前記新規データをＭＡＣ（Media  Access  Control）層からＰＨＹ（Physical）層へ転送して前記ＰＨＹ層のバッファに格納する転送部をさらに有し、
前記送信部は、
前記第２リソースに変換されていない前記第１リソースを用いて、前記ＰＨＹ層のバッファに格納された前記新規データを送信することを特徴とする請求項１又は２に記載の基地局装置。
【請求項４】
複数の端末装置と通信する基地局装置における送信方法であって、
前記端末装置毎に送信済みのデータの受信の成否が特定される前に、新規データの送信用の第１リソースを前記複数の端末装置に割り当て、
前記端末装置毎に前記データの受信の成否が特定された後に、前記データの受信に失敗した前記端末装置に割り当て済みの前記第１リソースを前記データの再送用の第２リソースへ変換し、
前記第２リソースを用いて前記データを再送するとともに、前記第２リソースに変換されていない前記第１リソースを用いて前記新規データを送信する
ことを特徴とする送信方法。
【発明の詳細な説明】
【技術分野】
【０００１】
本発明は、基地局装置及び送信方法に関する。
【背景技術】
【０００２】
４Ｇ（Generation）（第４世代通信方式）であるＬＴＥ（Long  Term  Evolution）などでは、効率的なデータ伝送を実現するために、ハイブリッド自動再送要求（ＨＡＲＱ：Hybrid  Automatic  Repeat  request）の技術が採用されている。ＨＡＲＱでは、受信装置は、例えばＬＴＥなどのレイヤ１プロトコル階層の処理において受信（復号）に失敗したデータについての再送を、送信装置側に要求する。送信装置は、データの再送が要求されると、受信装置が受信（復号）に失敗した元のデータに関するデータを再送データとして送信する。受信装置は、受信（復号）に失敗したデータと、当該受信（復号）に失敗したデータの再送要求に対応する再送データとを組み合わせて、データの復号を行う。これにより、高効率且つ高精度な再送制御が実現される。
【先行技術文献】
【特許文献】
【０００３】
【特許文献１】特開２０１５−１８８２５５号公報
【発明の概要】
【発明が解決しようとする課題】
【０００４】
ところで、次世代の通信規格（例えば、５Ｇ（第５世代移動体通信））では、データ通信量の大幅な増加が予想されるため、４Ｇ（第４世代移動体通信）の標準技術に加えて、通信のさらなる低遅延化を実現することが検討されている。例えば、ＨＡＲＱでは、送信装置が、データの受信に失敗した受信装置に当該データを再送する一方で、データの受信に成功した受信装置に新規データを送信するが、データの再送及び新規データの送信にかかる時間を短縮することが期待されている。なお、データの再送及び新規データの送信にかかる時間とは、受信装置へ送信済みのデータの受信の成否を示す応答信号が送信装置によって受信されてから、再送データ及び新規データが送信装置から送信されるまでの時間を指す。データの再送及び新規データの送信にかかる時間は、ＨＡＲＱ＿ＲＴＴ（Round  Trip  Time）とも呼ばれる。
【０００５】
開示の技術は、データの再送及び新規データの送信にかかる時間を短縮することができる基地局装置及び送信方法を提供することを目的とする。
【課題を解決するための手段】
【０００６】
本願の開示する基地局装置は、一つの態様において、複数の端末装置と通信する基地局装置であって、前記複数の端末装置へ送信済みのデータの受信の成否が前記端末装置毎に特定される前に、新規データの送信用の第１リソースを前記複数の端末装置に割り当てる割当部と、前記端末装置毎に前記データの受信の成否が特定された後に、前記データの受信に失敗した前記端末装置に割り当て済みの前記第１リソースを前記データの再送用の第２リソースへ変換する変換部と、前記第２リソースを用いて前記データを再送するとともに、前記第２リソースに変換されていない前記第１リソースを用いて前記新規データを送信する送信部とを有する。
【発明の効果】
【０００７】
本願の開示する基地局装置の一つの態様によれば、データの再送及び新規データの送信にかかる時間を短縮することができるという効果を奏する。
【図面の簡単な説明】
【０００８】
【図１】図１は、本実施例に係る無線通信システムの構成を示す図である。
【図２】図２は、本実施例に係る基地局装置の構成を示すブロック図である。
【図３】図３は、本実施例におけるスケジューラによるスケジューリングの一例を説明するための図である。
【図４】図４は、本実施例におけるスケジューラによるスケジューリングの他の一例を説明するための図である。
【図５】図５は、本実施例に係る基地局装置による処理動作の一例を示すフローチャートである。
【図６】図６は、本実施例に係る基地局装置による処理動作の一例を示すフローチャートである。
【図７】図７は、比較例に係る基地局装置による処理動作の具体例を示す図である。
【図８】図８は、本実施例に係る基地局装置による処理動作の具体例を示す図である。
【発明を実施するための形態】
【０００９】
以下に、本願の開示する基地局装置及び送信方法の実施例を図面に基づいて詳細に説明する。なお、この実施例により開示技術が限定されるものではない。また、実施例において同等の機能を有する構成には同一の符号を付し、重複する説明は省略される。
【実施例】
【００１０】
図１は、本実施例に係る無線通信システムの構成を示す図である。図１に示す無線通信システムは、基地局装置１００及び複数の端末装置２００を有する。端末装置２００は、ＵＥ（User  Equipment）とも呼ばれる。
【００１１】
基地局装置１００は、データを含む信号を複数の端末装置２００へ送信する。そして、基地局装置１００は、複数の端末装置２００へ送信済みのデータの受信の成否が端末装置２００毎に特定される前に、新規データの送信用の第１リソースを複数の端末装置２００に割り当てる。具体的には、基地局装置１００は、送信済みのデータに応じて各端末装置２００から返信される応答信号を用いてデータの受信の成否が端末装置２００毎に特定される前に、新規データの送信用の第１リソースを通信中の全ての端末装置２００に割り当てる。なお、各端末装置２００から返信される応答信号は、データの受信（復号）の成功を通知するＡＣＫ（ACKnowledgement）、又はデータの受信（復号）の失敗を通知するＮＡＣＫ（Negative  ACKnowledgement）である。
【００１２】
そして、基地局装置１００は、応答信号を用いて、データの受信の成否を端末装置２００毎に特定する。その後、基地局装置１００は、データの受信に失敗した端末装置２００に割り当て済みの第１リソースをデータの再送用の第２リソースへ変換する。そして、基地局装置１００は、データの受信に失敗した端末装置２００に対して、第２リソースを用いてデータを再送するとともに、データの受信に成功した端末装置２００に対して、第２リソースに未変換の第１リソースを用いて新規データを送信する。
【００１３】
これにより、データの受信の成否が端末装置２００毎に特定された後に、新規データの送信用の第１リソースの割り当て処理を省略することができるので、データの再送及び新規データの送信を迅速に開始する（前倒しする）ことができる。結果として、データの再送及び新規データの送信にかかる時間、つまり、ＨＡＲＱ＿ＲＴＴを短縮することが可能となる。
【００１４】
図２は、本実施例に係る基地局装置１００の構成を示すブロック図である。図２に示すように、基地局装置１００は、ＲＦ（Radio  Frequency）部１００ａ及びプロセッサ１００ｂを有する。
【００１５】
ＲＦ部１００ａは、高周波の信号である無線信号と、低周波のベースバンド信号との相互変換を行うための処理を行う。すなわち、ＲＦ部１００ａは、アンテナを介して端末装置２００から受信した上り信号に対して、例えば、ダウンコンバート及びアナログディジタル変換などの所定の無線受信処理を施し、無線受信処理後の上り信号を後述する復調部１１１へ出力する。また、ＲＦ部１００ａは、後述する変調部１１７から受け取る信号に対して、例えば、ディジタルアナログ変換及びアップコンバートなどの所定の無線送信処理を施して無線信号を形成し、無線信号をアンテナを介して端末装置２００へ送信する。
【００１６】
プロセッサ１００ｂは、例えばＣＰＵ（Central  Processing  Unit）、ＦＰＧＡ（Field  Programmable  Gate  Array）又はＤＳＰ（Digital  Signal  Processor）などを備え、基地局装置１００全体を統括制御する。具体的には、プロセッサ１００ｂは、Ｌ１処理部１１０、Ｌ２処理部１２０及びスケジューラ１３０を有する。
【００１７】
Ｌ１処理部１１０は、レイヤ１（Ｌ１）の処理を実行する。レイヤ１（Ｌ１）には、物理（ＰＨＹ：Physical）層が含まれる。
【００１８】
具体的には、Ｌ１処理部１１０は、復調部１１１、復号化部１１２、Ｌ１バッファ１１３、再送バッファ１１４、送信信号生成部１１５、符号化部１１６及び変調部１１７を有する。
【００１９】
復調部１１１は、上り信号をＲＦ部１００ａから受ける。復調部１１１は、上り信号を復調し、復調後の上り信号を復号化部１１２へ出力する。
【００２０】
復号化部１１２は、上り信号を復調部１１１から受ける。復号化部１１２は、上り信号を復号化して、送信済みのデータに応じて各端末装置２００から返信される応答信号（つまり、ＡＣＫ又はＮＡＣＫ）を抽出する。そして、復号化部１１２は、抽出した応答信号を後述する応答特定部１３１へ出力する。
【００２１】
Ｌ１バッファ１１３は、Ｌ２処理部１２０から出力されるデータを新規データとして一時的に保持する。Ｌ１バッファ１１３は、ＰＨＹ層のバッファの一例に相当する。
【００２２】
再送バッファ１１４は、アンテナから端末装置２００へ送信済みのデータを再送に備えて一時的に保持する。以下では、再送バッファ１１４に一時的に保持されたデータを適宜「再送データ」と呼ぶこととする。
【００２３】
送信信号生成部１１５は、新規データ及び再送データをスケジューラ１３０によるスケジューリングに従ったリソースに配置して送信信号を生成する。すなわち、送信信号生成部１１５は、再送バッファ１１４から再送データを取得するとともに、Ｌ１バッファ１１３から新規データを取得する。そして、送信信号生成部１１５は、第２リソースに再送データを配置するとともに、第２リソースに未変換の第１リソースに新規データを配置して、新規データ及び再送データを含む送信信号を生成する。なお、スケジューラ１３０によるスケジューリングについては、後述する。
【００２４】
符号化部１１６は、送信信号生成部１１５によって生成された送信信号を符号化し、符号化後の送信信号を変調部１１７へ出力する。
【００２５】
変調部１１７は、送信信号を符号化部１１６から受ける。変調部１１７は、送信信号を変調し、変調後の送信信号をＲＦ部１００ａへ出力する。
【００２６】
Ｌ２処理部１２０は、レイヤ２（Ｌ２）の処理を実行する。レイヤ２（Ｌ２）には、例えば、ＰＤＣＰ（Packet  Data  Convergence  Protocol）層、ＲＬＣ（Radio  Link  Control）層、及びＭＡＣ（Medium  Access  Control）層が含まれる。
【００２７】
具体的には、Ｌ２処理部１２０は、データ生成部１２１及び転送部１２２を有する。
【００２８】
データ生成部１２１は、端末装置２００毎にデータの受信の成否が特定される前に、スケジューラ１３０における第１リソースの割り当ての完了を契機として、新規データを生成する。新規データとは、例えば、ＲＬＣ層のＰＤＵ（Packet  Data  Unit）にＭＡＣ層のヘッダが付加されて得られるＭＡＣ−ＰＤＵである。データ生成部１２１による新規データの生成処理は、上記のＭＡＣ層の処理である。
【００２９】
転送部１２２は、データ生成部１２１によって生成された新規データをＭＡＣ層からＰＨＹ層へ転送してＰＨＹ層のバッファであるＬ１バッファ１１３に格納する。これにより、データの受信の成否が端末装置２００毎に特定される前に、ＭＡＣ層からＰＨＹ層への新規データの転送が前倒しされる。
【００３０】
スケジューラ１３０は、再送データ及び新規データを含む送信信号を構成するリソースを複数の端末装置２００に割り当てるスケジューリングを実行する。
【００３１】
具体的には、スケジューラ１３０は、応答特定部１３１、リソース割当部１３２及びリソース変換部１３３を有する。
【００３２】
応答特定部１３１は、応答信号（つまり、ＡＣＫ又はＮＡＣＫ）を復号化部１１２から受け取る。応答特定部１３１は、応答信号を用いて、データの受信の成否を端末装置２００毎に特定する。すなわち、応答特定部１３１は、応答信号がＡＣＫ及びＮＡＣＫのいずれであるかを端末装置２００毎に判定し、判定結果に応じて、データの受信に成功した端末装置２００と、データの受信に失敗した端末装置２００とを特定する。応答特定部１３１は、データの受信に成功した端末装置２００、及びデータの受信に失敗した端末装置２００を示す情報をリソース変換部１３３へ出力する。
【００３３】
リソース割当部１３２は、応答特定部１３１によってデータの受信の成否が端末装置２００毎に特定される前に、新規データの送信用の第１リソースを複数の端末装置２００に割り当てる。具体的には、リソース割当部１３２は、データを含む信号が複数の端末装置２００へ送信されてからデータの受信の成否が端末装置２００毎に特定されるまでの間に、データの受信の成否に関わらず、第１リソースを通信中の全ての端末装置２００に割り当てる。第１リソースの割り当てが完了すると、その旨を示す通知がＬ２処理部１２０へ出力される。
【００３４】
また、リソース割当部１３２は、第１リソースを複数の端末装置２００へ割り当てる際に、端末装置２００毎のスループットに基づいて、第１リソースの割り当て単位であるリソースブロックの数を算出する。例えば、リソース割当部１３２は、スループットが大きい端末装置２００ほど、より多くの第１リソースが割り当てられるように、リソースブロックの数を算出する。なお、端末装置２００毎のスループットは、基地局装置１００の上位装置から取得される。
【００３５】
リソース変換部１３３は、応答特定部１３１によってデータの受信の成否が端末装置２００毎に特定された後に、データの受信に失敗した端末装置２００に割り当て済みの第１リソースをデータの再送用の第２リソースへ変換する。そして、第１リソースから変換された第２リソースと、第２リソースに変換されていない第１リソースとを示す情報が送信信号生成部１１５へ出力される。
【００３６】
ここで、スケジューラ１３０によるスケジューリングについて、具体的に説明する。図３は、本実施例におけるスケジューラ１３０によるスケジューリングの一例を説明するための図である。図３では、４つのＴＴＩ（Transmission  Time  Interval）（ＴＴＩ＃０〜ＴＴＩ＃３）の各々に１つの端末装置２００（ＵＥ＃０、ＵＥ＃１、ＵＥ＃２又はＵＥ＃３）が多重される場合のスケジューリングの一例が示されている。なお、５Ｇでは、ＴＴＩとして０．２５ｍｓが想定されている。
【００３７】
まず、図３の左側に示すように、データの受信の成否が端末装置２００毎に特定される前に、全ての端末装置２００からの応答信号がＡＣＫであるという仮定の下で、全ての端末装置２００に対して、新規データの送信用の第１リソースが割り当てられる。このとき、第１リソースの割り当て単位であるリソースブロックの数が、端末装置２００毎のスループットに基づいて、算出される。図３の例では、１００個のリソースブロックが第１リソースとして割り当てられる。
【００３８】
そして、データの受信の成否が端末装置２００毎に特定された後に、図３の右側に示すように、応答信号としてＮＡＣＫを返信した端末装置２００に割り当て済みの第１リソースが、データの再送用の第２リソースへ変換される。図３においては、ＴＴＩ＃１にＮＡＣＫを返信したＵＥ＃１に割り当て済みの第１リソースと、ＴＴＩ＃２にＮＡＣＫを返信したＵＥ＃２に割り当て済みの第１リソースとが、第２リソースへ変換される。
【００３９】
すなわち、第１リソースが全ての端末装置２００に割り当てられた状態で、データの受信の成否が特定された後に、データの受信に失敗した端末装置２００に割り当て済みの第１リソースのみがリソース変換部１３３によって第２リソースへ変換される。このため、基地局装置１００は、データの受信の成否が端末装置２００毎に特定された後に、第１リソースの割り当て処理を省略することができる。結果として、データの再送及び新規データの送信にかかる時間、つまり、ＨＡＲＱ＿ＲＴＴを短縮することが可能となる。
【００４０】
図４は、本実施例におけるスケジューラ１３０によるスケジューリングの他の一例を説明するための図である。図４では、４つのＴＴＩ（ＴＴＩ＃０〜ＴＴＩ＃３）の各々に４つの端末装置２００（ＵＥ＃０、ＵＥ＃１、ＵＥ＃２及びＵＥ＃３）が多重される場合のスケジューリングの一例が示されている。
【００４１】
まず、図４の左側に示すように、データの受信の成否が端末装置２００毎に特定される前に、全ての端末装置２００からの応答信号がＡＣＫであるという仮定の下で、全ての端末装置２００に対して、新規データの送信用の第１リソースが割り当てられる。このとき、第１リソースの割り当て単位であるリソースブロックの数が、端末装置２００毎のスループットに基づいて、算出される。図４の例では、１００個のリソースブロックが第１リソースとして割り当てられる。
【００４２】
そして、データの受信の成否が端末装置２００毎に特定された後に、図４の右側に示すように、応答信号としてＮＡＣＫを返信した端末装置２００に割り当て済みの第１リソースが、データの再送用の第２リソースへ変換される。図４においては、ＴＴＩ＃０にＮＡＣＫを返信したＵＥ＃０及びＵＥ＃１に割り当て済みの第１リソースと、ＴＴＩ＃１にＮＡＣＫを返信したＵＥ＃０及びＵＥ＃３に割り当て済みの第１リソースとが、第２リソースへ変換される。さらに、ＴＴＩ＃３にＮＡＣＫを返信したＵＥ＃２に割り当て済みの第１リソースが、第２リソースへ変換される。
【００４３】
すなわち、第１リソースが全ての端末装置２００に割り当てられた状態で、データの受信の成否が特定された後に、データの受信に失敗した端末装置２００に割り当て済みの第１リソースのみがリソース変換部１３３によって第２リソースへ変換される。このため、基地局装置１００は、データの受信の成否が端末装置２００毎に特定された後に、第１リソースの割り当て処理を省略することができる。結果として、データの再送及び新規データの送信にかかる時間、つまり、ＨＡＲＱ＿ＲＴＴを短縮することが可能となる。
【００４４】
次に、上記のように構成された基地局装置１００による処理動作の一例について、説明する。図５及び図６は、本実施例に係る基地局装置１００による処理動作の一例を示すフローチャートである。図５に示す処理動作は、データを含む信号が基地局装置１００から複数の端末装置２００へ送信されてからデータの受信の成否が端末装置２００毎に特定されるまで（つまり、図６に示すステップＳ１１５の処理が実行されるまで）の間に実行される。
【００４５】
リソース割当部１３２は、図５に示すように、データを含む信号が基地局装置１００から複数の端末装置２００へ送信されると、新規データの送信用の第１リソースを複数の端末装置２００に割り当てる（ステップＳ１０１）。このとき、リソース割当部１３２は、端末装置２００毎のスループットに基づいて、第１リソースの割り当て単位であるリソースブロックの数を算出する。
【００４６】
データ生成部１２１は、第１リソースの割り当ての完了を契機として、新規データを生成する（ステップＳ１０２）。
【００４７】
転送部１２２は、データ生成部１２１によって生成された新規データをＭＡＣ層からＰＨＹ層へ転送してＰＨＹ層のバッファであるＬ１バッファ１１３に格納する（ステップＳ１０３）。
【００４８】
ＲＦ部１００ａは、図６に示すように、端末装置２００が送出した上り信号をアンテナを介して受信し（ステップＳ１１１）、受信した上り信号に対して所定の無線受信処理を施す（ステップＳ１１２）。そして、ＲＦ部１００ａは、無線受信処理後の上り信号を復調部１１１へ出力する。
【００４９】
復調部１１１は、上り信号を復調する（ステップＳ１１３）。そして、復調部１１１は、復調後の上り信号を復号化部１１２へ出力する。
【００５０】
復号化部１１２は、上り信号を復号化して、送信済みのデータに応じて各端末装置２００から返信される応答信号（つまり、ＡＣＫ又はＮＡＣＫ）を抽出する（ステップＳ１１４）。そして、復号化部１１２は、応答信号を応答特定部１３１へ出力する。
【００５１】
応答特定部１３１は、応答信号を復号化部１１２から受け取る。そして、応答特定部１３１は、応答信号を用いて、データの受信の成否を端末装置２００毎に特定する（ステップＳ１１５）。すなわち、応答特定部１３１は、応答信号がＡＣＫ及びＮＡＣＫのいずれであるかを端末装置２００毎に判定し、判定結果に応じて、データの受信に成功した端末装置２００と、データの受信に失敗した端末装置２００とを特定する。応答特定部１３１は、データの受信に成功した端末装置２００、及びデータの受信に失敗した端末装置２００を示す情報をリソース変換部１３３へ出力する。ここで、ステップＳ１１５の処理が実行される前に、図５に示す処理動作の実行が完了している。このため、ステップＳ１１５の処理が完了した時点において、新規データの送信用の第１リソースが複数の端末装置２００に割り当てられており、且つ、新規データがＬ１バッファ１１３に格納されている。
【００５２】
リソース変換部１３３は、複数の端末装置２００から１つの端末装置２００を選択する（ステップＳ１１６）。リソース変換部１３３は、選択中の端末装置２００がデータの受信に成功した端末装置２００（つまり、応答信号としてＡＣＫを返信した端末装置２００）であるか否かを判定する（ステップＳ１１７）。
【００５３】
リソース変換部１３３は、選択中の端末装置２００がデータの受信に失敗した端末装置２００（つまり、応答信号としてＮＡＣＫを返信した端末装置２００）である場合（ステップＳ１１７Ｎｏ）、以下の処理を行う。すなわち、リソース変換部１３３は、選択中の端末装置２００に割り当て済みの第１リソースを第２リソースへ変換する（ステップＳ１１８）。
【００５４】
一方、リソース変換部１３３は、選択中の端末装置２００がデータの受信に失敗した端末装置２００（つまり、応答信号としてＮＡＣＫを返信した端末装置２００）である場合（ステップＳ１１７Ｙｅｓ）、割り当て済みの第１リソースの変換を行わない。
【００５５】
リソース変換部１３３は、全ての端末装置２００が選択されていない場合（ステップＳ１１９Ｎｏ）、ステップＳ１１６〜Ｓ１１８の処理を繰り返す。一方、リソース変換部１３３は、全ての端末装置２００が選択された場合（ステップＳ１１９Ｙｅｓ）、処理をステップＳ１２０へ進める。このとき、第１リソースから変換された第２リソースと、第２リソースに変換されていない第１リソースとを示す情報が送信信号生成部１１５へ出力される。
【００５６】
送信信号生成部１１５は、再送バッファ１１４から再送データを取得するとともに、Ｌ１バッファ１１３から新規データを取得する（ステップＳ１２０）。そして、送信信号生成部１１５は、第２リソースに再送データを配置するとともに、第２リソースに未変換の第１リソースに新規データを配置して、新規データ及び再送データを含む送信信号を生成する（ステップＳ１２１）。
【００５７】
符号化部１１６は、送信信号生成部１１５によって生成された送信信号を符号化する（ステップＳ１２２）。そして、符号化部１１６は、符号化後の送信信号を変調部１１７へ出力する。
【００５８】
変調部１１７は、送信信号を変調する（ステップＳ１２３）。そして、変調部１１７は、変調後の送信信号をＲＦ部１００ａへ出力する。
【００５９】
ＲＦ部１００ａは、送信信号に対して所定の無線送信処理を施し（ステップＳ１２４）、無線送信処理後の送信信号をアンテナを介して端末装置２００へ送信する（ステップＳ１２５）。ＲＦ部１００ａによって送信される送信信号には、新規データ及び再送データが含まれている。すなわち、ＲＦ部１００ａは、データの受信に失敗した端末装置２００に対して、第２リソースを用いてデータを再送するとともに、データの受信に成功した端末装置２００に対して、第２リソースに未変換の第１リソースを用いて新規データを送信する。ＲＦ部１００ａは、送信部の一例である。
【００６０】
次に、本実施例に係る基地局装置１００による処理動作の具体例について、説明する。まず、図７を参照して、比較例を説明する。図７に示す比較例では、４ＧのＨＡＲＱを５Ｇにおけるデータの再送及び新規データの送信にそのまま適用した場合の基地局装置による処理動作が示されている。図７は、比較例に係る基地局装置による処理動作の具体例を示す図である。ここでは、４つのＴＴＩ（ＴＴＩ＃０〜ＴＴＩ＃３）の各々に２つの端末装置２００（Ｕｓｅｒ１及びＵｓｅｒ２）が多重されるものとする。図７において、「ＵＬ−ＰＨＹ」は、上り信号に対するＰＨＹ層の処理（つまり、復調及び復号化）を示す。また、「ＭＡＣ」は、ＭＡＣ層の処理（つまり、新規データの生成及び転送）を示す。また、「ＤＬ−ＰＨＹ」は、下り信号である送信信号に対するＰＨＹ層の処理（つまり、送信信号の生成、符号化及び変調）を示す。
【００６１】
図７に示す比較例では、上り信号が復号化されて抽出された応答信号（つまり、ＡＣＫ又はＮＡＣＫ）を用いて、データの受信の成否が端末装置２００毎に特定された後に、リソースの割り当て処理が実行される。すなわち、応答信号としてＡＣＫを返信したＵｓｅｒ１に対して、新規データの送信用の第１リソースが割り当てられ、ＮＡＣＫを返信したＵｓｅｒ２に対して、データの再送用の第２リソースが割り当てられる。そして、第１リソース及び第２リソースの割り当てが完了すると、新規データが生成されてＭＡＣ層からＰＨＹ層へ転送される。そして、ＭＡＣ層からＰＨＹ層へ転送された新規データが第１リソースに配置されるとともに、ＰＨＹ層の再送バッファから取得された再送データが第２リソースに配置されて、送信信号が生成される。そして、送信信号は、符号化及び変調されてアンテナを介してＵｓｅｒ１及びＵｓｅｒ２へ送信される。
【００６２】
続いて、図８を参照して、本実施例に係る基地局装置１００による処理動作の具体例を説明する。図８は、本実施例に係る基地局装置１００による処理動作の具体例を示す図である。ここでは、比較例と同様に、４つのＴＴＩ（ＴＴＩ＃０〜ＴＴＩ＃３）の各々に２つの端末装置２００（Ｕｓｅｒ１及びＵｓｅｒ２）が多重されるものとする。図８において、「ＵＬ−ＰＨＹ」は、上り信号に対するＰＨＹ層の処理（つまり、復調及び復号化）を示す。また、「ＭＡＣ」は、ＭＡＣ層の処理（つまり、新規データの生成及び転送）を示す。また、「ＤＬ−ＰＨＹ」は、下り信号である送信信号に対するＰＨＹ層の処理（つまり、送信信号の生成、符号化及び変調）を示す。
【００６３】
本実施例に係る基地局装置１００では、図８に示すように、上り信号が復号化されて抽出された応答信号（つまり、ＡＣＫ又はＮＡＣＫ）を用いて、データの受信の成否が端末装置２００毎に特定される前に、リソースの割り当て処理が実行される。すなわち、Ｕｓｅｒ１及びＵｓｅｒ２からの応答信号がいずれもＡＣＫであるという仮定の下で、Ｕｓｅｒ１及びＵｓｅｒ２に対して、新規データの送信用の第１リソースが割り当てられる。そして、第１リソースの割り当ての完了を契機として、新規データが生成されてＭＡＣ層からＰＨＹ層へ転送される。そして、ＭＡＣ層からＰＨＹ層へ転送された新規データがＰＨＹ層のバッファであるＬ１バッファ１１３に格納される。そして、応答信号（つまり、ＡＣＫ又はＮＡＣＫ）を用いて、データの受信の成否が端末装置２００毎に特定された後に、応答信号としてＮＡＣＫを返信したＵｓｅｒ２に割り当て済みの第１リソースが、データの再送用の第２リソースへ変換される。そして、ＰＨＹ層の再送バッファ１１４から取得された再送データが第２リソースに配置されるとともに、Ｌ１バッファ１１３から取得された新規データが第１リソースに配置されて、送信信号が生成される。そして、送信信号は、符号化及び変調されてアンテナを介してＵｓｅｒ１及びＵｓｅｒ２へ送信される。
【００６４】
すなわち、本実施例に係る基地局装置１００では、第１リソースがＵｓｅｒ１及びＵｓｅｒ２に割り当てられた状態で、データの受信の成否が特定された後に、データの受信に失敗したＵｓｅｒ２に割り当て済みの第１リソースのみが第２リソースへ変換される。このため、基地局装置１００は、データの受信の成否が端末装置毎に特定された後に、第１リソースの割り当て処理を省略することができる。結果として、図７に示す比較例と比較して、データの再送及び新規データの送信にかかる時間、つまり、ＨＡＲＱ＿ＲＴＴを短縮することが可能となる。
【００６５】
以上のように、本実施例によれば、新規データの送信用の第１リソースを全ての端末装置に割り当て、データの受信に失敗した端末装置に割り当て済みの第１リソースをデータの再送用の第２リソースへ変換する。このため、データの受信の成否が端末装置毎に特定された後に、新規データの送信用の第１リソースの割り当て処理を省略することができるので、データの再送及び新規データの送信を迅速に開始する（前倒しする）ことができる。結果として、データの再送及び新規データの送信にかかる時間、つまり、ＨＡＲＱ＿ＲＴＴを短縮することが可能となる。
【符号の説明】
【００６６】
１００  基地局装置
１００ａ  ＲＦ部
１００ｂ  プロセッサ
１１０  Ｌ１処理部
１１１  復調部
１１２  復号化部
１１３  Ｌ１バッファ
１１４  再送バッファ
１１５  送信信号生成部
１１６  符号化部
１１７  変調部
１２０  Ｌ２処理部
１２１  データ生成部
１２２  転送部
１３０  スケジューラ
１３１  応答特定部
１３２  リソース割当部
１３３  リソース変換部
２００  端末装置
【図１】
2018201074.tif 000003
【図２】
2018201074.tif 000004
【図３】
2018201074.tif 000005
【図４】
2018201074.tif 000006
【図５】
2018201074.tif 000007
【図６】
2018201074.tif 000008
【図７】
2018201074.tif 000009
【図８】
2018201074.tif 000010